(57)【要約】【課題】表示板が強い力で押下操作されて変形したり、或いは破壊されても継続して押下操作が可能なエレベータ用押し釦装置を提供する。【解決手段】この押し釦装置は、エレベータの乗りかご内に設置される操作盤に適用されると共に、押下操作された表示板２を点灯する構造として、円板状の表示板２を表面側の内側に装着固定した円環枠状の保護カバー枠１と、この枠１の奥側に配置されて表示板２が押下操作されたときに枠１の端面によって押し込まれてオン状態となるスイッチ３と、表示板２に対向する基板上の位置でスイッチ３に囲まれるようにスイッチ３のオン状態で通電して発光する発光部が配備された発光装置４と、を備え、枠１が表示板２よりも機械的強度の高い硬質材料で成形されており、機械的強度の低い表示板２が強い力で押下操作されて変形したり、或いは破壊された後にも継続してスイッチ３をオン状態にする押下操作が可能となっている。【選択図】図１
2016041626.tif 000002
【特許請求の範囲】
【請求項１】
エレベータの乗場又は乗りかご内に設置される操作盤に適用されると共に、押下操作された表示板を点灯する構造として、前記表示板を表面側の内側に装着固定した保護カバー枠と、前記保護カバー枠の奥側に配置されて前記表示板が押下操作されたときに当該保護カバー枠によって押し込まれてオン状態となるスイッチと、基板上の所定箇所に前記スイッチが設けられると共に、前記表示板に対向する当該基板上の位置で当該スイッチに囲まれるように当該スイッチのオン状態で通電して発光する発光部が配備された発光装置と、を備えたエレベータ用押し釦装置において、
前記保護カバー枠は、前記表示板よりも機械的強度の高い硬質材料で成形されると共に、当該表示板が強い力で押下操作されて破壊された後にも継続して前記スイッチをオン状態にする押下操作が可能であることを特徴とするエレベータ用押し釦装置。
【請求項２】
エレベータの乗場又は乗りかご内に設置される操作盤に適用されると共に、押下操作された表示板の近傍に設けられた点灯部を点灯する構造として、前記表示板を表面側の内側に装着固定すると共に、当該表示板の近傍に前記点灯部が組み付けられた保護カバー枠と、前記保護カバー枠の奥側に配置されて前記表示板が押下操作されたときに当該保護カバー枠によって押し込まれてオン状態となるスイッチと、基板上の所定箇所に前記スイッチが設けられると共に、前記点灯部に対向する当該基板上の位置で当該スイッチに隣接するように当該スイッチのオン状態で通電して発光する発光部が配備された発光装置と、を備えたエレベータ用押し釦装置において、
前記保護カバー枠は、前記表示板よりも機械的強度の高い硬質材料で成形されると共に、当該表示板が強い力で押下操作されて破壊された後にも継続して前記スイッチをオン状態にする押下操作が可能であることを特徴とするエレベータ用押し釦装置。
【請求項３】
請求項１又は２記載のエレベータ用押し釦装置において、
前記保護カバー枠の内壁の前記表示板を装着固定するための箇所は、当該表示板の表面側への引き出し時の係止力が強く、当該表示板に対する奥側の押し込み時の係止力が比較的弱い構造であり、当該表示板が強い力で押下操作されて当該保護カバー枠の奥側へ押し込まれても吸盤を用いた表面側への吸着力を用いた引き出し修復作業により当該表示板の装着位置を復元できることを特徴とするエレベータ用押し釦装置。
【請求項４】
請求項１又は２記載のエレベータ用押し釦装置において、
前記保護カバー枠の内壁の前記表示板を装着固定するための箇所は、当該保護カバー枠の内側部分で凹んだ段差部を持ち、前記表示板の周縁部は、前記段差部の奥側で内側へ突出した係止片との間に挟まれて当接されて嵌合係止されており、前記段差部の表面側は、応急処置用の仮表示板を装着可能であることを特徴とするエレベータ用押し釦装置。
【発明の詳細な説明】
【技術分野】
【０００１】
本発明は、エレベータの乗場又は乗りかご内に設置される操作盤に適用されると共に、押下操作された表示板自体か或いはその近傍に設けられた点灯部を点灯する構造のエレベータ用押し釦装置に関する。
【背景技術】
【０００２】
従来、大多数のエレベータでは、乗場や乗りかご内に設置される操作盤について、押下操作された表示板自体か或いはその近傍に設けられた点灯部を点灯する構造の押し釦装置が適用されている。このような押し釦装置は、例えば乗客が悪戯で必要以上に強い力で表示板を押下操作する等で破壊されて故障することがあり、こうした場合にはその後の対応で一般的な乗客が保守管理会社に通報し、保守管理業者が現場に到着して対処するために多大な時間が割かれることがあり、大きな問題となっている。特に、全国各地のエレベータを多数一括管理している保守管理会社側では、こうしたトラブルの対処のために担当する保守管理業者の対応時間が膨大となって非常に負担が掛かるため、事前に防止対策を図ることが望まれている。
【０００３】
そこで、悪戯による押し釦装置の破壊や故障を防止するための対策に係る周知技術として、エレベータの乗場位置表示器に設けられたプラスチック成形品から成る乗場釦を保護するために、乗場釦の表面側にカバー枠によって保持された金属製の釦カバーを備えた「エレベータの乗場釦」（特許文献１参照）が挙げられる。
【先行技術文献】
【特許文献】
【０００４】
【特許文献１】特開平４−１０１９７３号公報
【発明の概要】
【発明が解決しようとする課題】
【０００５】
上述した特許文献１記載の技術は、プラスチック製の乗場釦の表面に高い強度を有する金属製の釦カバーを設けることにより、悪戯による乗場釦の破壊を未然に防ぐ構造を提案したものであるが、こうした構造では肉厚で硬質な金属材を用いない限り、釦カバーに対して大きな押圧力が加えられた場合に釦カバーが変形し、変形した釦カバーが常時乗場釦を押圧した状態となり、乗りかごへの呼びが継続され続け、乗場釦としての機能が損われる虞がある。
【０００６】
本発明は、このような問題点を解決すべくなされたもので、その技術的課題は、表示板が強い力で押下操作されて変形したり、或いは破壊されても継続して押下操作が可能なエレベータ用押し釦装置を提供することにある。
【課題を解決するための手段】
【０００７】
上記技術的課題を解決するため、本発明の第１の手段は、エレベータの乗場又は乗りかご内に設置される操作盤に適用されると共に、押下操作された表示板を点灯する構造として、表示板を表面側の内側に装着固定した保護カバー枠と、保護カバー枠の奥側に配置されて表示板が押下操作されたときに当該保護カバー枠によって押し込まれてオン状態となるスイッチと、基板上の所定箇所にスイッチが設けられると共に、表示板に対向する当該基板上の位置で当該スイッチに囲まれるように当該スイッチのオン状態で通電して発光する発光部が配備された発光装置と、を備えたエレベータ用押し釦装置において、保護カバー枠は、表示板よりも機械的強度の高い硬質材料で成形されると共に、当該表示板が強い力で押下操作されて破壊された後にも継続してスイッチをオン状態にする押下操作が可能であることを特徴とする。
【０００８】
また、上記技術的課題を解決するため、本発明の第２の手段は、エレベータの乗場又は乗りかご内に設置される操作盤に適用されると共に、押下操作された表示板の近傍に設けられた点灯部を点灯する構造として、表示板を表面側の内側に装着固定すると共に、当該表示板の近傍に点灯部が組み付けられる保護カバー枠と、保護カバー枠の奥側に配置されて表示板が押下操作されたときに当該保護カバー枠によって押し込まれてオン状態となるスイッチと、基板上の所定箇所にスイッチが設けられると共に、点灯部に対向する当該基板上の位置で当該スイッチに隣接するように当該スイッチのオン状態で通電して発光する発光部が配備された発光装置と、を備えたエレベータ用押し釦装置において、保護カバー枠は、表示板よりも機械的強度の高い硬質材料で成形されると共に、当該表示板が強い力で押下操作されて破壊された後にも継続してスイッチをオン状態にする押下操作が可能であることを特徴とする。
【発明の効果】
【０００９】
本発明のエレベータ用押し釦装置によれば、上記何れかの構成により、表示板を装着固定した保護カバー枠が表示板よりも格段に機械的強度の高い硬質材料で成形されているため、表示板が強い力で押下操作されて変形したり、或いは破壊されても保護カバー枠を使用することで継続して押下操作が可能となる。上記した以外の課題、構成及び効果は、以下の実施の形態の説明により明らかにされる。
【図面の簡単な説明】
【００１０】
【図１】本発明の実施例１に係るエレベータ用押し釦装置の基本構造を側面方向からの断面図で示すと共に、操作盤に適用されたときに表面側に露呈される局部の正面図を対応させて示した概略図である。
【図２】図１に示すエレベータ用押し釦装置の構造で生じ得る変形又は破壊の様子を説明するために示した側面方向からの断面図であり、（Ａ）は表示板の装置固定の箇所からの部分的な外れ状態に関する図、（Ｂ）は表示板の装置固定の箇所からの全体的な外れ状態に関する図、（Ｃ）は表示板の装置固定の箇所での破壊状態に関する図である。
【図３】図２に示すエレベータ用押し釦装置の構造で生じた表示板の変形又は破壊に応じた対処を説明するために示した側面方向からの断面図であり、（Ａ）は図２（Ａ）、（Ｂ）の場合の表示板の変形に対する吸盤を用いた引き出し修復作業での装着固定の箇所への復帰状態に関する図、（Ｂ）は図２（Ｃ）の場合の表示板の破壊に応じた応急処置用の仮表示板を用いた保護カバー枠への装着状態を表面側に露呈される仮表示板の正面図を対応させて示した図である。
【発明を実施するための形態】
【００１１】
以下に、本発明のエレベータ用押し釦装置について、幾つかの実施例を挙げ、図面を参照して詳細に説明する。
【実施例１】
【００１２】
図１は、本発明の実施例１に係るエレベータ用押し釦装置の基本構造を側面方向からの断面図で示すと共に、操作盤に適用されたときに表面側に露呈される局部の正面図を対応させて示した概略図である。
【００１３】
図１を参照すれば、実施例１に係るエレベータ用押し釦装置は、図示されないエレベータの乗りかご内に設置される操作盤に適用されると共に、押下操作された表示板２を点灯する構造として、円板状の半透明な表示板２を表面側の内側に装着固定した円環枠状の保護カバー枠１と、この保護カバー枠１の奥側に配置されて表示板２が押下操作されたときに保護カバー枠１の端面によって押し込まれてオン状態となるスイッチ３と、基板上の所定箇所にスイッチ３が設けられると共に、表示板２に対向する基板上の位置でスイッチ３に囲まれるようにスイッチ３のオン状態で通電して発光する発光部が配備された発光装置４と、を備えて構成される。因みに、ここでの押し釦装置は、表示板２を１階用とする単体構造を示しているが、実際にはその他の階用のものや乗りかごのかごドアに対する開閉用のものを含む同様な構造のもの、並びに非常用の構造のもの（点灯機能を持たせない場合もあるので異なる構造とみなして良い）を複数纏めて並設されるように図示されない操作盤カバーに組み付けて構成されるもので、その状態で操作盤カバーの表面上には各押し釦装置の保護カバー枠１及び表示板２のみが露呈される構造となる。
【００１４】
この実施例１に係るエレベータ用押し釦装置は、外観及び基本動作が従来通りのもので、乗りかごに乗り込んだ乗客が操作盤における目的階の表示板２を普通の押圧力で押下操作すると、表示板２を装着固定した保護カバー枠１が連動してスイッチ３を押し込んでオン状態とする。これにより、スイッチ３のオン状態を示す信号がエレベータの図示されない制御盤に伝送され、目的階が登録されると共に、制御盤が登録されたことを示す登録信号を目的階の表示板２を持つ押し釦装置の発光装置４に伝送するため、発光装置４の発光部が発光して乗客が押下操作した目的階の表示板２が点灯される。勿論、ここで乗客が目的階の表示板２ではなく、その周囲の保護カバー枠１を押下操作した場合にも、全く同等な動作が行われる。
【００１５】
ところで、実施例１に係るエレベータ用押し釦装置では、各部材のうちの保護カバー枠１が表示板２よりも機械的強度の高い硬質材料で成形されることにより、保護カバー枠１よりも機械的強度の低い表示板２が強い力で押下操作されて変形したり、或いは破壊された後にも継続してスイッチ３をオン状態にする押下操作が可能となっている。保護カバー枠１の材質としては、強固な素材であれば良く、硬質アクリルやステンレス鋼等を例示できる他、将来的にはカーボンナノチューブ等を適用できれば候補に挙げられる。表示板２の材質としては、保護カバー枠１よりも機械的強度の低い材料で良く、一般的なプラスチックや合成樹脂、ガラス等を例示できる。また、保護カバー枠１の内壁の表示板２を装着固定するための箇所は、表示板２の表面側への引き出し時の係止力が強くて表面側には外れ難いが、表示板２に対する奥側の押し込み時の係止力が比較的弱くて所定値以上の押圧力で表示板２が押し込まれると奥側には外れ易い構造となっている。更に、保護カバー枠１の内壁の表示板２を装着固定するための箇所は、保護カバー枠１の内側部分で凹んだ段差部を持ち、表示板２の周縁部が段差部の奥側で内側へ突出した係止片との間に挟まれて当接されて嵌合係止されるようになっている。即ち、ここでの保護カバー枠１の内壁の表示板２を装着固定するための箇所は、保護カバー枠１の奥側の開口部から表示板２を挿入し、表示板２を押圧することで嵌合できる仕組みとなっている。
【００１６】
図２は、実施例１に係るエレベータ用押し釦装置の構造で生じ得る変形又は破壊の様子を説明するために示した側面方向からの断面図であり、同図（Ａ）は表示板２の装置固定の箇所からの部分的な外れ状態に関する図、同図（Ｂ）は表示板２の装置固定の箇所からの全体的な外れ状態に関する図、同図（Ｃ）は表示板２の装置固定の箇所での破壊状態に関する図である。
【００１７】
図２（Ａ）を参照すれば、ここでは例えば乗客が悪戯等で必要以上に強い押圧力で押し釦装置における表示板２を押し込んだ場合（押圧力の方向を矢印で例示する）、保護カバー枠１の内壁の表示板２を装着固定するための箇所から表示板２の固定が部分的に外れて一部が奥側へ押し込まれて変形した様子を示している。因みに、保護カバー枠１自体は強固な素材で成形されているため、仮に必要以上に強い押圧力が加えられても全く変形しない。
【００１８】
図２（Ｂ）を参照すれば、ここでも同様に乗客が悪戯等で必要以上に強い押圧力で押し釦装置における表示板２を押し込んだ場合（押圧力の方向を矢印で例示する）、保護カバー枠１の内壁の表示板２を装着固定するための箇所から表示板２の固定が完全に外れて全体が奥側へ押し込まれて変形した様子を示している。
【００１９】
図２（Ｃ）を参照すれば、ここでは例えば乗客が悪戯等で傘の先端等の尖った物で表示板２を強く突いた場合（押圧力の方向を矢印で例示する）、保護カバー枠１の内壁の表示板２の装置固定の箇所で表示板２が破壊された様子を示している。但し、こうした状況でもスイッチ３は表示板２の奥側ではなく、保護カバー枠１の奥側に配置されているため、表示板２が破壊されていても押圧操作の機能には支障が無い。これにより、一見押し釦装置が破壊されて見えるため、更なる悪戯による破壊目的を抑止できる効果を期待できるだけでなく、故障には至っておらず基本機能が維持されているために保守管理業者が緊急対応するときの対応時間や労苦が軽減されることが期待される。
【００２０】
図３は、実施例１に係るエレベータ用押し釦装置の構造で生じた表示板２の変形又は破壊に応じた対処を説明するために示した側面方向からの断面図であり、同図（Ａ）は図２（Ａ）、（Ｂ）の場合の表示板２の変形に対する吸盤５を用いた引き出し修復作業での装着固定の箇所への復帰状態に関する図、同図（Ｂ）は図２（Ｃ）の場合の表示板２の破壊に応じた応急処置用の仮表示板６を用いた保護カバー枠１への装着状態を表面側に露呈される仮表示板の正面図を対応させて示した図である。
【００２１】
図３（Ａ）を参照すれば、ここでは図２（Ａ）、（Ｂ）の場合のような表示板２の変形を修復する場合、保守管理業者が吸盤５を用いて表面側から表示板２に吸着させ、その吸着力を利用して表面側へと引き出し修復作業を行う（引き出し方向を矢印で例示する）ことにより、表示板２の装着位置を元の嵌合位置に復元できる様子を示している。
【００２２】
図３（Ｂ）を参照すれば、ここでは図２（Ｃ）の場合のような表示板２の破壊を対処する場合、保守管理業者が応急処置用の仮表示板６を用いて保護カバー枠１の内側領域に形成された段差部に対し、その表面側から仮表示板６を接着剤等を用いて貼り付けて装着すれば容易に修復できる様子を示している。
【００２３】
以上に説明した実施例１に係るエレベータ用押し釦装置によれば、表示板２を装着固定した保護カバー枠１が表示板２よりも格段に機械的強度の高い硬質材料で成形されているため、表示板２が強い力で押下操作されて変形したり、或いは破壊されても保護カバー枠１を使用することで継続して押下操作が可能となる。また、保護カバー枠１の内壁の表示板２を装着固定するための箇所を表面側には外れ難く、奥側には比較的外れ易い構造としているため、表示板２が悪戯等で必要以上に強い押圧力で押し込まれて変形する際に部分的か或いは全体的に装着固定が外れる機会が多くなるため、こうした場合には保守管理業者が吸盤５の吸着力を利用して容易に表示板２の装着位置を元通りに復元することができ、修復作業を簡単に短時間で行うことができるようになる。更に、表示板２が悪戯等で破壊された場合においても、保護カバー枠１の奥側に配置したスイッチ３が破壊され難く、機能上の支障が生じ難い構造としているため、こうした場合には保守管理業者が応急処置用の仮表示板６を保護カバー枠１の段差部に貼り付けて装着すれば良く、修復作業を簡単に短時間で行うことができるようになる。
【実施例２】
【００２４】
実施例２に係るエレベータ用押し釦装置は、実施例１の場合と比べ、表示板２が押下操作されたときに表示板２の近傍に設けられた点灯部を点灯する構造として、保護カバー枠１が表示板２を表面側の内側に装着固定した以外に表示板２の近傍に図示されない点灯部を組み付けており、発光装置４の発光部が点灯部に対向する基板上の位置でスイッチ３に隣接するように配備され、これによって表示板２が押下操作されたスイッチ３のオン状態で通電して発光装置４の発光部が発光したときに保護カバー枠１の点灯部を点灯する点が相違しており、その他の細部構造は同様に構成されている。
【００２５】
実施例２に係るエレベータ用押し釦装置によっても、表示板２を装着固定して点灯部が組み付けられた保護カバー枠１が表示板２よりも格段に機械的強度の高い硬質材料で成形されているため、実施例１で説明した場合と同様な作用効果を奏する。
【００２６】
尚、各実施例で説明したエレベータ用押し釦装置では、表示板２や仮表示板６を円板状とし、それらを装着する保護カバー枠１を円環枠状とした場合を説明したが、表示板２や仮表示板６の形状は円板状以外の例えば四角板状にしても良く、そうした場合には保護カバー枠１についても同様な仕様で四角枠状にすれば良い。また、各実施例で説明したエレベータ用押し釦装置では、乗りかごの操作盤へ適用させた場合を説明したが、乗場用の操作盤を対象にしても同様に適用することができ、そうした場合には表示板２や仮表示板６を三角板状とし、保護カバー枠１についても同様な仕様で三角枠状にすれば良い。従って、本発明のエレベータ用押し釦装置は、各実施例で開示した形態に限定されない。
【符号の説明】
【００２７】
１  保護カバー枠
２  表示板
３  スイッチ
４  発光装置
５  吸盤
６  仮表示板
【図１】
2016041626.tif 000003
【図２】
2016041626.tif 000004
【図３】
2016041626.tif 000005